(57)【要約】【課題】  石けんを使用して行くうちに、最後は小さくなり使用しづらく、廃棄するケースが多くあった。最後まで使用する方法として、小さくなった石けんを新品の石けんに力で押し付けて一体として使用していたが、うまく一体とならなく剥がれてしまい何度も同じことを繰り返していた。  本発明は、小さくなった石けんを有効に活用するための石けん収納具兼洗浄具を提供する。【解決手段】  本発明は、本体と蓋からなっており、本体は、４ｃｍ前後の厚みのあるスポンジの中央部に開口部を有する底のある穴を設ける。該穴よりも一回り大きい挿脱可能なスポンジ蓋を設けている。【選択図】図１
2013146515.tif 000002
【特許請求の範囲】
【請求項１】
本体が、４ｃｍ前後の厚みのあるスポンジの中央部に開口部を有する底のある穴を設け、該穴よりも一回り大きい挿脱可能な円柱型のスポンジ蓋を設けたことを特徴とする石けん収納具兼洗浄具。
【請求項２】
本体が、底のある穴が奥に行くほど広く、該穴よりも一回り大きい挿脱可能な円錐型のスポンジ蓋も同じ形状を設けたことを特徴とする請求項１記載の石けん収納具兼洗浄具。
【請求項３】
本体が、底のある穴が入口よりも奥に行くと広く２段構造に設けており、該穴よりも一回り大きい挿脱可能な二段構造のスポンジ蓋も同じ形状を設けたことを特徴とする請求項１記載の石けん収納具兼洗浄具。
【発明の詳細な説明】
【技術分野】
【０００１】  本発明は、小さくなった固形石けんの収納具兼洗浄具に関するものである。
【背景技術】
【０００２】  石けんを使用していくうちに、石けんが小さくなり使用しづらく、廃棄をするケースが多くあった。廃棄せずに、小さくなった石けんを新品の石けんに力で押し付けて一体として使用していた。
なお、現状では袋状に形成され、折り重なった開口部があり、そこから小さくなった石けんを入れて使用する石けん収納具を兼ねる洗浄具が知られている。（特許文献参照）
【先行技術文献】
【０００３】
【特許文献１】  特開２００１−３４６７１２号公報
【発明の概要】
【発明が解決しようとする課題】
【０００４】  石けんを使用して行くうちに、最後は小さくなり使用しづらく、廃棄するケースが多くあった。最後まで使用する方法として、小さくなった石けんを新品の石けんに力で押し付けて一体として使用していたが、うまく一体とならなく剥がれてしまい何度も同じことを繰り返すという問題があった。また、現状では袋状に形成され、折り重なった開口部があり、そこから小さくなった石けんを入れて使用する石けん収納具を兼ねる洗浄具が知られているが、スポンジに厚みがないために使用する用途が限られている。
本発明は、以上の問題点を解決するためになされたものである。
【課題を解決するための手段】
【０００５】  本発明の請求項１は、本体が、４ｃｍ前後の厚みのあるスポンジの中央部に開口部を有する底のある穴を設ける。該穴よりも一回り大きい挿脱可能な円柱型のスポンジ蓋を設けたことを特徴とする石けん収納具兼洗浄具。
本発明の請求項２は、本体が、４ｃｍ前後の厚みのあるスポンジの中央部に開口部を有する底のある穴を設ける。底のある穴は、奥に行くほど広くなっている。該穴よりも一回り大きい挿脱可能な円錐型のスポンジ蓋も同じ形状を設けたことを特徴とする請求項１記載の石けん収納具兼洗浄具。
本発明の請求項３は、本体が、４ｃｍ前後の厚みのあるスポンジの中央部に開口部を有する底のある穴を設ける。底のある穴は、入口よりも奥に行くと広く２段構造に設けている。該穴よりも一回り大きい挿脱可能な二段構造のスポンジ蓋も同じ形状を設けたことを特徴とする請求項１記載の石けん収納具兼洗浄具。
以上の構成よりなる石けん収納具兼洗浄具。
【発明の効果】
【０００６】  石けんを使用していくうちに、石けんが小さくなり使用しづらく、廃棄をするケースが多くあったが、本発明により有効に活用することができる。廃棄する変わりに、新品の石けんに使用して小さくなった石けんを力で押し付けて一体として使用していたが、本発明によりそのような手間をかける作業がなくなった。また、４ｃｍ前後の厚みのあるスポンジであるため、泡立ちが良く手で握りやすい。
【図面の簡単な説明】
【０００７】
【図１】石けん収納具兼洗浄具１の本体の斜視図である。
【図２】石けん収納具兼洗浄具１のスポンジ蓋の斜視図である。
【図３】石けん収納具兼洗浄具２の本体の斜視図である。
【図４】石けん収納具兼洗浄具２のスポンジ蓋の斜視図である。
【図６】石けん収納具兼洗浄具３の本体の斜視図である。
【図７】石けん収納具兼洗浄具３のスポンジ蓋の斜視図である。
【発明を実施するための形態】
【０００８】以下、本発明の形態を説明する。
本発明の請求項１は、本体が、厚さ４ｃｍ前後のスポンジの中央部に開口部（３）が円形になっている底のある穴（２）を設けている。該穴よりも一回り大きい挿脱可能な円柱型のスポンジ蓋（４）を設けている。円柱型のスポンジ蓋（４）は、収縮できるため、開口部（３）よりも一回り以上大きくしても、開口部（３）に装着することができる。開口部（３）よりも円柱型のスポンジ蓋（４）を大きくする理由としては、石けん収納具兼洗浄具を使用しているときに、円柱型のスポンジ蓋（４）が本体から離脱しないようにするために大きくしている。このようなことを特徴とする石けん収納具兼洗浄具。
本発明の請求項２は、本体が、厚さ４ｃｍ前後のスポンジの中央部に開口部（３）が円形になっている底のある穴（２）が円錐型になっており奥に行くほど広くなっている。該穴よりも一回り大きい挿脱可能な円錐型のスポンジ蓋（５）も同じ形状を設けている。円錐型のスポンジ蓋（４）は、収縮できるため、開口部（３）よりも一回り以上大きくしても、開口部（３）に装着することができる。開口部（３）よりも円錐型のスポンジ蓋（５）を大きくする理由としては、石けん収納具兼洗浄具を使用しているときに、円錐型のスポンジ蓋（５）が本体から離脱しないようにするために円錐型にしている。このようなことを特徴とする石けん収納具兼洗浄具。
本発明の請求項３は、本体が、厚さ４ｃｍ前後のスポンジの中央部に開口部（３）が円形になっている底のある穴（２）が入口よりも奥に行くと広く２段構造に設けている。該穴よりも一回り大きい挿脱可能な二段構造のスポンジ蓋（６）も同じ形状を設けている。二段構造のスポンジ蓋（６）は、収縮できるため、開口部（３）よりも一回り以上大きくしても、開口部（３）に装着することができる。開口部（３）よりも二段構造のスポンジ蓋（６）を大きくする理由としては、石けん収納具兼洗浄具を使用しているときに、二段構造のスポンジ蓋（６）が本体から離脱しないようにするために二段構造にしている。このようなことを特徴とする石けん収納具兼洗浄具。
本発明は以上のような構造である。
本発明を使用するときは、スポンジ蓋（４）（５）（６）を本体から外す。底のある穴（２）が現れるので、その穴にちび石けん（７）を挿入する。底のある穴（２）に再びスポンジ蓋（４）（５）（６）で蓋を行う。使用するときは、本体を水やお湯に浸して、手もみをするとすぐに泡立ちをする。通常のスポンジに石けんを付けたのと同じように使用することができる。
【符号の説明】
【０００９】１石けん収納具兼洗浄具
２底のある穴
３開口部
４円柱型のスポンジ蓋
５円錐型のスポンジ蓋
６二段構造のスポンジ蓋
７ちび石けん
【図１】
2013146515.tif 000003
【図２】
2013146515.tif 000004
【図３】
2013146515.tif 000005
【図４】
2013146515.tif 000006
【図５】
2013146515.tif 000007
【図６】
2013146515.tif 000008
【手続補正書】
【提出日】平成24年4月16日(2012.4.16)
【手続補正１】
【補正対象書類名】明細書
【補正対象項目名】０００７
【補正方法】変更
【補正の内容】
【０００７】
【図１】石けん収納具兼洗浄具１の本体の斜視図である。
【図２】石けん収納具兼洗浄具１のスポンジ蓋の斜視図である。
【図３】石けん収納具兼洗浄具２の本体の斜視図である。
【図４】石けん収納具兼洗浄具２のスポンジ蓋の斜視図である。
【図５】石けん収納具兼洗浄具３の本体の斜視図である。
【図６】石けん収納具兼洗浄具３のスポンジ蓋の斜視図である。